(57)【要約】  形状設定部を有するワイヤと、導電路と、形状設定部より遠位の点でワイヤを導電路に接続する電気コネクタと、ワイヤ及び導電路及び電気コネクタを包容するハイポチューブとを有する血管系装置が提供される。血管系装置を、ワイヤに対する電流の供給によるワイヤの発熱、特にワイヤの形状設定部の発熱によって、小断面構造形から展開構造形へ作動させることができる。血管系装置は、凝血塊及び血栓塞栓及び異物を血管、特に脳血管から除去することに有用であり、また操縦ワイヤ又はガイドワイヤとしても有用である。
2013512072.tif 000002
【特許請求の範囲】
【請求項１】
（ａ）近位端と遠位端と形状設定部とを有する、長手方向に延びるワイヤ; 
（ｂ）前記ワイヤに平行に延びる少なくとも１つの導電路； 
（ｃ）前記ワイヤの前記形状設定部に対する遠位の点で前記ワイヤを前記導電路に接続する電気コネクタ；及び
（ｄ）前記ワイヤと前記導電路と前記電気コネクタとを包容するハイポチューブ；を具備する血管系装置。
【請求項２】
前記ワイヤは、電流により該ワイヤが発熱すると前記形状設定部の形状を変化させる二相性材料を含む、請求項１に記載の血管系装置。
【請求項３】
前記ワイヤはニチノールを含む、請求項１に記載の血管系装置。
【請求項４】
前記導電路が：
（ｉ）少なくとも部分的にワイヤを取り囲むと共に前記形状設定部に対する遠位の点まで延びる第１の絶縁層と； 
（ｉｉ）前記第１の絶縁層に対する遠位の点まで、前記第１の絶縁層の外表面の少なくとも一部に沿って延びて、前記形状設定部に対する遠位のワイヤに接触する導電部材と；を具備する、請求項１に記載の血管系装置。
【請求項５】
前記第１の絶縁層が、延伸ポリテトラフルオロエチレン（ｅＰＴＦＥ）複合材を含む、請求項４に記載の血管系装置。
【請求項６】
前記ｅＰＴＦＥ複合材は、絹とエチレンフッ素化エチレンプロピレンを含む、請求項５に記載の血管系装置。
【請求項７】
前記導電部材が、前記ワイヤより低抵抗で電流を流すことのできるフィルム又は箔を含む薄い金属を含む、請求項４に記載の血管系装置。
【請求項８】
前記導電部材が、アルミ化／ポリエステル（ＰＥＴ）フィルム又は箔を含む、請求項７に記載の血管系装置。
【請求項９】
前記導電部材の少なくとも一部を覆う第２の絶縁層であって、前記導電部材に対する遠位の点まで延びて前記ワイヤと接触する第２の絶縁層をさらに具備する、請求項４に記載の血管系装置。
【請求項１０】
前記第１の絶縁層は、延伸ポリテトラフルオロエチレン（ｅＰＴＦＥ）複合材を含む、請求項９に記載の血管系装置。
【請求項１１】
前記ｅＰＴＦＥ複合材は、絹とエチレンフッ素化エチレンプロピレンとを含む、請求項１０に記載の血管系装置。
【請求項１２】
前記ハイポチューブの一部分が柔軟性のためにカットされている、請求項１に記載の血管系装置。
【請求項１３】
前記ハイポチューブは、前記ワイヤの形状設定部に対する遠位の未カットチューブの区域を含む、請求項１２に記載の血管系装置。
【請求項１４】
前記ワイヤの形状設定部に対する遠位の点で、圧縮によって前記導電路を前記ワイヤに電気的に接続するために、クリンプが前記未カット区域に設けられる、請求項１３に記載の血管系装置。
【請求項１５】
前記ワイヤの形状設定部は、該ワイヤが発熱すると、コイルを形成する、請求項１に記載の血管系装置。
【請求項１６】
前記コイルは、凝血塊に係合して血管から凝血塊を除去するのに十分な幾何形状と機械的な属性を有する、請求項１５に記載の血管系装置。
【請求項１７】
前記コイルは、血栓塞栓を濾過及び捕捉して血管から除去するのに十分な幾何形状と機械的な属性を有する、請求項１５に記載の血管系装置。
【請求項１８】
前記コイルは、凝血塊及び血栓塞栓以外の異物を除去するのに十分な幾何形状と機械的な属性を有する、請求項１５に記載の血管系装置。
【請求項１９】
前記ワイヤをとおして電流を導くための手段をさらに具備する、請求項１に記載の血管系装置。
【請求項２０】
請求項１に記載の血管系装置を具備する機械的血栓除去術装置であって、前記ワイヤの形状設定部が、凝血塊に係合して血管から前記凝血塊を除去する幾何形状及び機械的属性を有するコイルを、前記ワイヤが発熱すると、形成する、機械的血栓除去術装置。
【請求項２１】
血管から凝血塊を除去する方法であって：
大きな導入カテーテルを適切な脈管内に挿入する段階と；
医師に好まれる小さなマイクロカテーテルを前記導入カテーテルを介して脈管内に導入する段階と;
前記マイクロカテーテルを閉塞された脈管へ前進させる段階と；
小断面構造形にある請求項２０の血栓除去術装置を、医師に好まれるマイクロカテーテルを介して、凝血塊のサイトへ前進させる段階と；
小断面構造形にある前記血栓除去術装置を、該機械的血栓除去術装置のワイヤの形状設定部が凝血塊のサイトに位置する点まで、凝血塊を貫通してさらに前進させる段階と；
前記血栓除去術装置が展開構造形を呈するように、前記血栓除去術装置のワイヤをとおして電流を流す段階と；
血栓除去術装置の取出し時に凝血塊が血管から除去されるように、血栓除去術装置内に凝血塊を捕捉する段階と；を含む血管から凝血塊を除去する方法。
【請求項２２】
請求項１の血栓除去術装置を具備する操縦ワイヤ又はガイドワイヤ。
【発明の詳細な説明】
【技術分野】
【０００１】
関連出願の相互参照
この出願は、２００９年１２月１日に出願された米国仮特許出願第６１／２６５５０１号に関する優先権を主張し、前記仮特許出願は、引用することによりその全体が本明細書に援用される。
【０００２】
本発明は、例えば患者の血管から血栓又は異物のような物体を除去するのに有用な血管系装置に関するものである。特に、本発明は、患者の脳血管から血栓を除去するのに有用な装置に関する。本発明の装置はまた、患者の血管内で操縦可能ガイドワイヤ又は操縦ワイヤとして使用することもできる。
【背景技術】
【０００３】
閉塞された血管に開存性を復元する機械的手段の使用がよく知られている。これらの装置は、血栓の液圧除去、固化した血小板に対する回転切刃、血栓を破砕又は引っぱるための膨張手段、また脈管を浚渫するか又は石を除去するように自己拡張するか又は拡張され得る様々な金属構造物といった多岐にわたる多くのカテゴリに収まる。
【０００４】
これらの装置の例としては、米国特許第３３６７１０１号、第３４３５８２６号、及び第４４０３６１２号における、フォガティ（Fogarty）によって記述された“フォガティカテーテル”にさかのぼり、それらは、塞栓摘出術のためのバルーンカテーテルに対する改善を詳細に記述する。多くの用途に適している一方で、繊細な曲がりくねった脳血管系をとおしてバルーンを引くと、不要な外傷を引き起こす可能性がある。本技術分野の現状のバルーンカテーテルの横断面は、典型的な神経血管アクセサリー（例えば、マイクロカテーテル）とそれらとの使用も制限するであろう。
【０００５】
機械的に拡大される装置も閉塞除去の分野でよく知られている。クラーク（Clark）は、米国特許第３９９６９３８号において、血栓を除去するための拡大組紐の使用に特に焦点を当てた。彼の教えは、組紐の先端部に取り付けられた内側のコアワイヤが与える圧縮力を受けて拡大する組紐を利用した。
【０００６】
このテーマに対する多くの改良が、石の除去、凝血塊の除去、及び異物の除去などの分野で生じた。これらの全ては、自己拡張したり、又は供給される圧縮荷重の下で機械的に拡張したりする性質の組立体である。これらの例は、バスケットの平行足によって本体が取得バスケットに入ることが可能にされるベイツ（Bates）の米国特許第６８０００８０号；バスケットが自己拡大して、提供された鞘内に潰れるということになっているベイツの米国特許第５４９６３３０号;“固定的に取り付けられたコアワイヤ”の故に“供給された”状態で潰されている自己拡張型円錐形のバスケットを記述するエンゲルソン（Engelson）の米国特許第６０６６１５８号；及び、一連の編組エキスパンダで構成される組立体を記述するサムソン（Samson）の米国特許第６０６６１４９号に見ることができる。
【０００７】
これらの装置は、エレガントながら、神経血管系内への適用に対する主要な関心事、すなわち装置の横断面（すなわち、断面積）を最小限に抑えることに対処していない。一般に、これらは、所定の場所に溶接されるか又はカラー等を用いて固定的に取り付けられる必要のある多くの構成要素から構成されて全て組み立てられた装置である。これらの発明の装置が、繊細な、曲がりくねった神経血管系にアクセスするために使用される医師に好まれるマイクロカテーテルとどのように両立するかが分からない。
【０００８】
多くの発明において、横断面の問題は、固定されたワイヤ組立体を記述することによって回避されており、前記ワイヤ組立体は、マイクロカテーテルを通過するものではなく、それらは、大きな血管内における閉塞物によく近接して配置された大きなガイドカテーテルから操縦するということになっている。サムソンの米国特許第６０６６１４９号は、このタイプの組立体の例である。図に示すように、装置は、ワイヤ端部がカラーの中に操縦される組立体である。引き込み心線は、その遠位終端において、従来型のガイドワイヤの先端も兼ねている。この先端は、ガイドワイヤの操縦、及び凝血塊を横切るためにそれを貫く能力を与える一方で、装置の大きな本体がエキスパンダを取り囲んでいる。ことによると容易にアクセス可能な閉塞物に適しており、これは、予想される脳血管の大多数の場合に又は医師の好みに対応しない。前記医師の好みとは、手術の前に凝血塊に対する遠位の血管造影法による可視化のために、マイクロカテーテルとガイドワイヤの組み合わせが、凝血塊を横切る通路を生み出すために使用されることである。
【０００９】
ウェンゼル（Wensel）は、米国特許第５８９５３９８号において、神経血管系の両立性を達成するためにより小さい装置の必要性を予想している。この文献では、彼は、マイクロカテーテルによる送出のために直線状に維持された螺旋成形ワイヤの使用を教示している。“コルクねじ”に成形された単線を使用することによって、彼は、大断面という結果となる他の先行技術の多くで必要な複雑な組立手順を回避した。彼の発明は、残念ながら、マイクロカテーテルに対する束縛を必要とする。一般的に、医師に好まれるマイクロカテーテルは、遠位端で非常に柔軟性があって、成形ワイヤを直線状に維持する能力をほとんど与えない。これは、（凝血塊を摘出する能力を低下させる）弱い“コルクねじ”を作るか、又は処置におけるアクセスを制限する特注の硬いマイクロカテーテルを作るかのトレードオフである。
【００１０】
米国特許第５８９５３９８号及びその後の公報である米国特許第６４３６１１２号において、ウェンゼルは、コイルが発熱時又は電流の通行時に形状を変える二相性材料から作られる脈管内の凝血塊及び異物を除去するためのコイル型の装置を記述している。コイルは、初期的には直線状のものとして記載され、次に電流又は電熱の通過後に、コイルはそのコイル構造形に変化する。コイルは挿入マンドレルに取り付けられる。電流又は電熱の通行のための手段が説明されていない。
【発明の概要】
【００１１】
本発明は、血管系装置及び前記血管系装置を製作して使用する方法に関する。
【００１２】
血管系装置は、形状設定部と、ワイヤに平行に延びる導電路と、形状設定部に対して遠位のワイヤと導電路との間の少なくとも一つの電気コネクタと、ワイヤ及び導電路及び電気コネクタが中に挿入されるハイポチューブとを具備する。
【００１３】
本発明の血管系装置のワイヤは、電流による電線の発熱時に形状設定部の形状を変化させる二相性の材料を含む。
【００１４】
一実施形態では、血管系装置は、機械的血栓除去術装置である。この実施形態では、ワイヤの形状設定部は初期的には直線状である。形状設定部は発熱すると、凝血塊を捕捉すること、及び血栓塞栓を捕捉して除去すること、及び血管、特に脳血管内の他の異物を除去することに有用なコイルを形成する。
【００１５】
別の実施形態では、血管系装置は、血管系内の操縦可能ガイドワイヤ又は操縦ワイヤとして使用される。この実施形態では、ガイドワイヤ又は操縦可能ワイヤとしての使用に望ましい任意の形状が想定され得る。
【００１６】
本発明の動作は、添付の図面と併せて考察されると、以下の説明から明らかになるはずである。
【図面の簡単な説明】
【００１７】
【図１】図１は、直線状の小断面構造形にある形状設定部を有する、本発明の血管系装置のワイヤの概略図である。
【図２ａ】図２ａは、図１のワイヤに平行に走る導電路の一実施形態の概略図であって、装置のワイヤを取り囲む導電路の第１の絶縁層を示す図である。
【図２ｂ】図２ｂは、図１のワイヤに平行に走る導電路の一実施形態の概略図であって、ワイヤを取り囲む図２ａに示されている第１の絶縁層と、装置の第１の絶縁層の外表面に沿って延在する導電部材とを示す図である。
【図２ｃ】図２ｃは、図１のワイヤに平行に走る導電路の一実施形態の概略図であって、ワイヤを囲む第１の絶縁層、第１の絶縁層の外表面に沿って延在する導電部材、及び装置の導電部材を覆う第２の絶縁層を示す図である。
【図３ａ】図３ａは、装置のハイポチューブ構成要素の実施形態の模式図である。
【図３ｂ】図３ｂは、ハイポチューブ内に囲まれた本発明の装置の一実施形態の模式図である。図が管状構造の一方の面を示していることが理解されるべきである。
【図３ｃ】図３ｃは、ハイポチューブ内に囲まれた本発明の装置の代替の実施形態の模式図である。図が管状構造の一方の面を示していることが理解されるべきである。
【図４】図４は、閉塞動脈の模式図である。
【図５】図５は、閉塞を貫通して挿入された本発明の機械的血栓除去術装置を有する閉塞動脈の模式図である。
【図６】図６は、閉塞動脈内の凝血塊の捕捉のためのコイル状構造形にされた本発明の血栓除去術装置のワイヤの展開した形状設定部の概略図である。
【図７】図７は、本発明の血栓除去術装置によって動脈から取り除かれる図４〜図６の凝血塊の模式図である。
【発明を実施するための形態】
【００１８】
血管系装置が本発明によって提供される。
本発明の血管系装置は、形状設定部を有する長手方向に延びるワイヤ、及びワイヤに平行に延びる導電路、及びワイヤの形状設定部から遠位の点で、ワイヤと導電路とを接続する電気コネクタ、及びハイポチューブを具備し、前記ハイポチューブの中にワイヤ及び導電路及び電気コネクタが挿入されている。
【００１９】
本発明の血管系装置の要素が図１から図３に示されている。
【００２０】
具体的には、図１は、装置の形状設定部３を有する、長手方向に延びるワイヤ２の実例である。ワイヤ２は、形状設定部３における形状をワイヤの発熱時に変化させる二相性の材料で構成される。図１と同様に図２及び図３に、ワイヤ２の形状設定部３は、直線状構造形すなわち小断面構造形で描かれている。
【００２１】
本発明の装置のワイヤ２に有用な二相性の材料の例は、ニチノール（Nitinol）であり、ニチノールは、体温付近以上の温度であるが周囲の組織への損傷を引き起こす温度未満の温度でオーステナイトに変態するように作られたその冶金特性を有する。本発明によるニチノールワイヤを熱処理する実験は、約３３℃のＡｓと約４２℃のＡｆという結果となった。ニチノールワイヤは、体温未満の温度でオーステナイト状態（Ａｓ）に変態を開始する一方で、ニチノールがオーステナイト状態へのその変態を終了するＡｆまで又はＡｆより上では、勾配はハイポチューブを圧倒して形状を変化させるのに十分な力を確立しない。形状設定ポリマーのような任意の二相性材料は、この用途で役に立つであろう。
【００２２】
ワイヤの直径は、変更されてよく、また導電路及びハイポチューブの内径及びコイルの必要な強さに依存している。ワイヤの直径が太くなるほど強いコイルとなる。一実施形態では、ワイヤの直径は、導電路に包まれても、ハイポチューブ内に収まることができる最大の直径である。収まる最大直径ワイヤは、ワイヤの形状設定部に最大の強度を提供するように選択される。例えば、本発明者らは、ここに０．００９３ｉｎ即ち０．２３６ｍｍの内径（ＩＤ）を有するハイポチューブに対して、導電路を含んでハイポチューブ内に収まる０．００５ｉｎ即ち０．１２７ｍｍ〜０．００６ｉｎ即ち０．１５２ｍｍの直径のニチノールワイヤが好ましいことを見出した。ワイヤの好ましい長さは約１８０ｃｍであるか、又は好適なガイドワイヤの長さによく似るだろう。
【００２３】
機械的血栓除去術装置として有用な本発明の血管系装置１の実施形態を示す図４〜図７においては、ワイヤ２の形状設定部３は、凝血塊を捕捉するように、並びに血栓塞栓を濾過、捕捉、及び除去するように、並びに血管系から異物を捕捉及び除去するように形成されたコイルとして描かれている。限定するものではないが、直線状コイル及びテーパーコイルを含む様々なコイルの構造形を使用することができる。
【００２４】
一実施形態では、ワイヤが血管系装置の用途に選択されたサイズのマンドレルに巻き付けられたとき、ワイヤ２の形状設定部３が、ワイヤの加熱調整によってワイヤに組み込まれる。
【００２５】
例えば、機械的血栓除去術装置のために、１．６ｍｍのマンドレルサポート（マンドレルの両端を保持する固定具）を有する３．２ｍｍマンドレルが、既知のピッチでワイヤの完全な２回転を提供して直線コイルという結果を招く。このようなマンドレルの使用は、よじれを取り除き、そこでは、１．６ｍｍのマンドレルサポートが優しい喰い付き部としての役割を果たすときワイヤが型を出入りする。
【００２６】
代わりに、テーパーコイルが、機械的血栓除去術装置のワイヤ内に組み込まれることが可能である。テーパーコイルは、凝血塊の負荷の下でのコイルの直線化に対する追加の抵抗力だけでなくより硬いハイポチューブを圧倒する追加された復元力も提供し得る。
【００２７】
本発明の血管系装置内のワイヤ２は、ワイヤを通して供給される電流の結果としてジュール加熱により加熱される。電圧は、バッテリなどの接続された直流電源によってシステム全体に供給される。図３ｂに示されるように、ワイヤ２（−）を介して電圧源の“＋”（プラス）端子から得られた電流が流れる。図３Ｃに示すように、電流は、形状設定部３に対する遠位でワイヤ２に電気的に接続された６低抵抗パス４ｅを介して電圧源の“−”（マイナス）端子に戻される。
【００２８】
図２ａから図２ｃは、ワイヤ２に平行に延びる導電路４の一実施形態を例示するものである。この実施形態では、導電路は、装置のワイヤを取り囲む第１の絶縁層４ａを具備する（図２ａを参照されたい）。本実施形態の導電路４は、第１の絶縁層４ａの外側面に沿って延びる導電部材４ｂを更に具備する（図２ｂを参照されたい）。第１の絶縁層４ａは、ワイヤの形状設定部から遠位の所望の電気的接続部を除いてワイヤから導電部材を絶縁している。本実施形態の導電路４は、導電部材４ｂを覆う第２の絶縁層４ｃを更に具備してもよい。この第２の層は、ハイポチューブを導電路から絶縁して、汚染物質に対する障壁を提供するであろう。この実施形態では、第１及び／若しくは第２の絶縁層は、ワイヤの形状設定部から遠位の所望の電気的接続を除いてワイヤから導電部材の完全な絶縁を確実にするために、並びに／又は（例えば、血液及び水などの）汚染物が絶縁を破壊することを防ぐために複数の層を含んでよい。
【００２９】
様々な材料を導電路のこの実施形態の層に使用できる。
【００３０】
たとえば、導電部材として、例えばアルミ化／ポリエステル（ＰＥＴ）フィルム又は箔のような、ワイヤの二相性材料よりも低い抵抗で電流を流すことのできるフィルム又は箔を含む薄い金属を使用することができる。導電性金属編組を含む、他の任意の薄い展延性の導電性材料を使用することができる。ワイヤよりも低抵抗のフィルム又は箔を使用することにより、供給される電力の大半がワイヤの加熱に使われる。膜の厚さはワイヤの直径とハイポチューブの内径に依存しており、前記ハイポチューブの内径の内にワイヤと導電路が収められなければならない。一実施形態では、０．０００３５ｉｎ即ち０．００８９ｍｍのアルミニュウム及び０．０００４８ｉｎ即ち０．０１２ｍｍのＰＥＴで積層されて０．０００８３ｉｎ即ち０．００９６ｍｍの合計厚さになるフィルムの厚さが使用される。
【００３１】
第１の絶縁層のために、所望の電気的接続部を除いて導電部材からワイヤを絶縁することのできる薄膜ラップが選択される。たとえばｅＰＴＦＥ／エチレンフッ素化エチレンプロピレン（ＥＦＥＰ）（約０．０００１ｉｎ即ち０．００２５ｍｍ厚）などの延伸ポリテトラフルオロエチレン（ｅＰＴＦＥ複合材）の薄膜ラップを使用することができる。この複合材は、膜を所定の場所に固定するとともに、さらに液体がシステムに侵入することを防ぐために加熱中にリフローする低融点熱可塑性樹脂層を有する。任意の低融点熱可塑性樹脂と組み合わされた例えばＦＥＰ（フッ素化エチレンプロピレン）、ＰＥ（ポリエチレン）、又はＰｅｂａx（登録商標）のような任意の熱可塑性複合材は、この用途で使用されてよい。絶縁層は、ワイヤと導電部材との間に取り付けられて、必要な場所を除いてワイヤが導電部材に接触することを防ぐ。ハイポチューブと導電部材との間の接触を防ぐため及び汚染物質（例えば、水又は血液など）が絶縁を破壊することを防ぐために、同一又は異なる材料の第２の絶縁層を、導電部材の上に取付けることができる。
【００３２】
ワイヤ２の形状設定部３に対して遠位の点で、ワイヤ２と、導電路４、特に導電路の導電部材４ｂとは、回路を完成させるために接触する必要がある。接触のこの点は、本明細書では電気コネクタ６として参照される。図４ａから図４ｃの導電路の実施形態では、電気的接続は、ワイヤの形状設定部から遠位の点であるが導電部材４ｂの遠位端に対する近位の点で第１の絶縁層４ａを終えることによって、及びワイヤと導電部材とをハイポチューブ内でクリンプによって共に圧縮することによって達成される。銀エポキシのような電気的接続を生み出すためのクリンプに代わる方法が使用されてよい。
【００３３】
代替の導電路が想定されてよい。この代替構成は、図３ｃに示される。それは追加の導電膜層４ｅを含むことを除いて、図２ａ〜図２ｃに示す構成と同様な構造である。導電膜層４ｅは、ワイヤ２の抵抗より低い抵抗を有し、これにより形状設定部だけが発熱され及び従ってそのプリセット形状を呈する。
【００３４】
本発明の血管系装置は、ワイヤと導電路の全体を包容するハイポチューブ５をさらに具備する（図３ｂを参照されたい）。図３ａ〜図３ｃを参照されたい。ハイポチューブは、血管系装置の挿入のための強度を近位端部で提供する一方で、遠位端部に柔軟性を維持することによって、ワイヤの形状設定部の発熱後の形状を形作る。十分な機械的性質の任意の導電性で薄い器具をハイポチューブの代わりに使用することができる。一実施形態では、ハイポチューブは、ワイヤ及び導電路を包容するのに十分であるように選択された内径（ＩＤ）と、マイクロカテーテル及び血管系、特に脳血管系の中に収まるように選択された外径（ＯＤ）とを有するステンレス鋼チューブを具備する。一実施形態では、細かいピッチの螺旋が、ワイヤの形状変化の際に遠位の柔軟性を確保するためにワイヤの形状設定部に隣接するその遠位端のハイポチューブの少なくとも一部に加工されている。図３ａ及び図３ｂを参照されたい。一実施形態では、ハイポチューブは、ワイヤの形状設定部から遠位の未カットチューブ区域を具備しており、そこでは、圧縮によって導電路をワイヤの形状設定部から遠位の点でワイヤに電気的に接続するためにクリンプが設けられる。
【００３５】
本発明の血管系装置は、限定するものではないが、中大脳動脈（ＭＣＡ）及び遠位内頸動脈（ＩＣＡ）及び脊椎脳底動脈のＭ１及びＭ２のレベルのような特に脳血管解剖構造のような血管の解剖構造への容易でより迅速なアクセスを可能にする医師に好まれる付属品（例えば、マイクロカテーテル）との親和性が、特定のマイクロカテーテルの使用又は面倒なカテーテル交換を必要とする装置に比べて高い。例えば、凝血塊に対して充分に係合する回転及び／又は逆回転の複雑なシステムを必要とする装置に比べて簡単かつ迅速である。より少ない手術操作は、より短い手術時間を提供し、また患者にとって利点がある。
【００３６】
図４〜図７に示されるような本発明の血管系装置の一実施形態は、血管系、特に脳血管系のための効率的な機械的血栓除去術装置を提供する。本発明の血栓除去術装置は、凝血塊の除去、血栓塞栓の捕捉と除去、及び血管からの異物の除去に有用である。この血栓除去術装置は、図４〜図７の動脈内に示される。本実施形態の使用のために、血栓塞栓性障害の症状を示す患者は、診断を確認し且つ閉塞を見つけるために検査される。大きな導入カテーテルは、大腿動脈又は大腿静脈のような適切な脈管内に挿入される。医師に好まれる小さなマイクロカテーテルが、次に、導入カテーテルを介して脈管内に導入されて、例えばガイドワイヤを使用して閉塞された脈管内に向かって前進せしめられる。次に、装置は、凝血塊の遠位サイトへ凝血塊を通って前進せしめられる。本発明の機械的血栓除去術装置は、次に、医師に好まれる小断面構造形のマイクロカテーテルを介して凝血塊のサイトへ前進せしめられる。次に、本発明の機械的血栓除去術装置は、粘弾性の凝血塊を貫通して、機械的血栓除去術装置のワイヤの形状設定部が凝血塊のサイトに位置する点まで、小断面構造形の中をさらに前進せしめられる（図５を参照されたい）。次に、本発明の機械的血栓除去術装置は、該装置のワイヤをとおる電流の通過によって作動され、ワイヤの形状設定部及び覆っているハイポチューブの展開された構造形を呈する（図６を参照されたい）。展開された構造形では、血栓除去術装置は、最小限の塞栓破片とともに凝血塊に係合してそれを除去するのに十分な幾何形状と機械的な属性とを有している（図７を参照されたい）。効率的な凝血塊の捕捉と除去は、より短い処置時間、及び患者の改善された血管再新生を提供する。展開された構造形では、血栓除去術装置は、血栓塞栓を捕捉して除去するため、及び他の異物を除去するために使用され、並びに操縦ワイヤ又はガイドワイヤとしても用いられることが可能である。
【００３７】
例：
本発明の範囲を制限することなく、次の例は、本発明の様々な実施形態がどのように実施及び／又は使用されてよいかが説明される。
【００３８】
図３ａ、図３ｂ、及び図３ｃに類似の血管系装置は、次の構成要素と組立工程を用いて製造された。
【００３９】
次の構成要素が使用された。
約３３℃のＡｓ及び約４２℃のＡｆを有する直線状コイル（テーパーなし）に熱設定された遠位端の部分を有する直径０．００５ｉｎ（０．１２７ｍｍ）のニチノールワイヤ（フォートウェイン金属（Fort Wayne Metals）、フォートウェイン（Fort Wayne）、インディアナ州）。前記ワイヤは、当該分野で公知の形状設定の熱処理技術を用いて形状設定された。
【００４０】
０．００９３ｉｎ×０．０１３２ｉｎ（０．２３６×０．３３５ｍｍ）のＩＤとＯＤをそれぞれ有するステンレス鋼レーザーカット螺旋ハイポチューブ（クリガンナ（Creganna）、マールボロ（Marlborough）、マサチューセッツ州）。螺旋カットのピッチが指定される。ハイポチューブの遠位端の近くの２ｍｍの部分は、圧着に適した場所を提供するためにカットされずに残された。
【００４１】
０．００５ｉｎ（０．１２７ｍｍ）のステンレス鋼の工程マンドレル。
【００４２】
工場の在庫から提供された０．０１５ｉｎ（０．３８１ｍｍ）幅の細長いアルミニウム／ポリエステル箔。
【００４３】
工場の在庫から提供された０．０３０ｉｎ（０．７６２ｍｍ）幅の細長いＥＦＥＰ（エチレンフッ素化エチレンプロピレン）フィルム。
【００４４】
ロックタイト４６０（Loctite 460（登録商標））（ヘンケル社（Henkel Corp.）、ロッキーヒル（Rocky Hill）、コネチカット０６０６７）接着剤。
【００４５】
収縮チューブ（部品番号００８０２５ＣＳＴ、内径０．００８ｉｎ（０．２０３ｍｍ）、アドバンストポリマーズ株式会社（Advanced Polymers, Inc.）、セーラム（Salem）、ニューハンプシャー州０３０７９）。
【００４６】
サンドペーパー、♯４００。
【００４７】
次の寸法を有する白金コイル、０．００９ｉｎ×０．００６ｉｎ×１２ｉｎ（０．２２８×０．１５２×３０４．８ｍｍ）
【００４８】
テープ巻付け機が、以下の装置の製造に使用された。使用される特定の速度、角度、及び張力の設定は、必要に応じてさらに説明される。
【００４９】
サンドペーパーが、形状設定部の少しだけ遠位の約２ｃｍの区域の酸化物をワイヤから削除するために使用された。ワイヤは、コイル状領域の近位区域から約１７０ｃｍ遠位の場所で半分に曲げられた。ワイヤの屈曲部とワイヤの直線部は、テープ巻付け機に固定された。
【００５０】
テープ巻付け機は、ＥＦＥＰテープの第１の絶縁層巻付けのための以下の仕様で設定された。マンドレルの速度は逆回転方向に２０００回転に設定された。巻付け角度は６１°に設定されて、マンドレルの張力が２０．７ｋＰａ（３ｐｓｉ）に設定され、送出し張力が０ｋＰａ（０ｐｓｉ）に設定され、横送り方向が右から左に設定された。ＥＦＥＰテープが、巻付け機に装填され、ワイヤの近位端にタグ長さを残して、ワイヤの周囲に手で４回巻き付けられた。手で巻き付けられたテープをワイヤに固定するために半田ごてが使用された。次に、テープのタグの端部が手で切除された。巻付け機は、作動されて、ワイヤ上の酸化物除去領域の直前までワイヤは包まれた。ワイヤにテープを再び固定するために半田ごてが使用され、過剰なテープがマンドレルに近接して切除された。ワイヤは、テープ巻付け機から取り外され、１６５℃のオーブン内で３分間焼成された。ワイヤは、その後オーブンから取り出されて、テープ巻付け機に戻された。
【００５１】
テープ巻付け機は、導電部材のための以下の仕様に設定された。マンドレル速度が逆方向で８００回転に設定された。巻付け角度は５７．８°に設定されて、マンドレルの張力は２０．７ｋＰａ（３ｐｓｉ）に設定され、送出し張力は３４．５ｋＰａ（５ｐｓｉ）に設定され、横送り方向が右から左に設定された。アルミニウム／ポリエステル箔が、テープ巻付け機に装填されて、第１のＥＦＥＰ層が始まったところの約１ｃｍ遠位のワイヤの上に置かれた。箔の端部は、ワイヤの周りに４回巻き付けられ、マスキングテープで固定するためにテープ固定される。巻付け機が作動されて、第１のＥＦＥＰ層の遠位端を約１ｃｍ過ぎたところまで箔で包まれたワイヤは、コアワイヤの酸化物除去区域でコアワイヤと箔との間を確実に接触させる。一滴のロックタイト接着剤は、ワイヤに箔を固定するために箔の下のワイヤ上に直接に置かれた。過剰な箔が可能な限りワイヤの近くで手で切除された。
【００５２】
ＥＦＥＰの第２の絶縁層が、次の設定でテープ巻付け機に適用された。マンドレル速度が逆方向で２０００回転に設定された。巻付け角度は５３°に設定されて、マンドレルの張力は２０．７ｋＰａ（３ｐｓｉ）に設定され、送出し張力が０ｋＰａ（０ｐｓｉ）に設定され、横送り方向が右から左へ設定された。ＥＦＥＰテープは、テープ巻付け機に装填され、箔層の近位端の遠位約５ｍｍのワイヤの上に置かれた。テープは、ワイヤの周囲に４回巻き付けられて、第１のＥＦＥＰ層と同じように固定及び切除された。テープ巻付け機が作動されて、ワイヤが箔層の端を約５ｃｍ過ぎるまでテープで包まれた。次に、テープが第１のテープ層と同じように固定及び切除されて、巻付け機から取り外されて、１６５℃に設定されたオーブン内で３分間焼成された。
【００５３】
オーブンから取り出された後、ワイヤの包まれていない遠位端は手で真っ直ぐにされて、ワイヤ組立体の遠位端がハイポチューブの遠位端を越えて突出するまで、ハイポチューブの近位（未カット）端の中に挿入された。ワイヤ組立体の近位端は、作業面上に固定された。ワイヤの遠位端は、ワイヤを真っ直ぐにするために手で引っ張られた。ハイポチューブは、箔がハイポチューブの遠位端で露出するまで、近位にワイヤの上に手で位置決めされた。
【００５４】
ワイヤの遠位端は、箔の遠位端から約５ｍｍで、手で切除された。収縮チューブの１ｃｍの部分が、収縮チューブで箔部を覆うことになるコアワイヤの切断端の上の位置に位置決めされた。次に、収縮チューブは、収縮チューブの遠位端部を溶かすために加熱された。過剰な収縮チューブが、ワイヤを超えた約１ｍｍの点で手によって切除された。収縮チューブの端部が再加熱された。
【００５５】
白金コイルの５ｍｍの部分が、切断されて、箔と白金コイルとの間の２〜３ｍｍのスペースを残してワイヤ組立体の遠位端上に配置された。接着剤の小滴が、ワイヤ上に置かれ、コイルが、コアワイヤ上を箔部分まで移動させられた。白金コイルは改良された放射線不透過性を装置に提供する。
【００５６】
過剰な接着剤が手で除去された。ハイポチューブとワイヤの近位端は手で保持されて、ワイヤが２〜３ミリメートルだけ引っ張られた。ハイポチューブは、どんな圧縮も取り除くように手で緩められ、白金コイルが、ハイポチューブの内側に配置されたが手で軽く押された。ワイヤは、遠位端がハイポチューブの約１ｍｍ内側になるまで引っ張られた。ハイポチューブの螺旋未カット部の約１ｍｍが、ワイヤの形状領域の遠位約２〜３ｍｍであることを確実にするように注意が払われた。
【００５７】
組立体の遠位端が圧着コレット内に挿入され、約０．５ｍｍの未カットハイポチューブがコレットの外側に残った。コレットは手で締められた。１５ｍｍのレンチが、コレットを１／４回転締めるために使用された。ハイポチューブの遠位先端の１ｍｍが、手動で圧着され、１５ｍｍのレンチが、コレットを１／８回転締めるために使用された。組立体がコレットから取り外された。
【図１】
2013512072.tif 000003
【図２Ａ】
2013512072.tif 000004
【図２Ｂ】
2013512072.tif 000005
【図２Ｃ】
2013512072.tif 000006
【図３Ａ】
2013512072.tif 000007
【図３Ｂ】
2013512072.tif 000008
【図３Ｃ】
2013512072.tif 000009
【図４】
2013512072.tif 000010
【図５】
2013512072.tif 000011
【図６】
2013512072.tif 000012
【図７】
2013512072.tif 000013
【国際調査報告】
2013512072.tif 000014
2013512072.tif 000015
2013512072.tif 000016
2013512072.tif 000017
2013512072.tif 000018